(57)【要約】【課題】部品点数や使用材料を低減しつつ、被梱包物を確実に固定することを目的とする。【解決手段】梱包容器は、第１側面部に接続された第１フラップ８と、第２側面部に接続され、第１フラップ８と隣接する第２フラップ９とを備え、第１フラップ８は、折曲げ部２４側に設けられた第１上面部１２と、折曲げ部２６を介して第１上面部１２に接続された第１下面部１３とを有し、第２フラップ９は、第２フラップ９の端部において、第２フラップ９が内側に折り曲げられた状態で第２フラップ９の中間部分よりも内側に突出し、第１フラップ８の第１上面部１２と第１下面部１３の間に挟まれるように形成された突出部２８を有する。【選択図】図６
2019218101.tif 000002
【特許請求の範囲】
【請求項１】
底面部と、
第１折曲げ部を介して前記底面部に接続された第１側面部と、
第２折曲げ部を介して前記底面部に接続され、前記第１側面部と隣接する第２側面部と、
第３折曲げ部を介して前記第１側面部に接続された第１フラップと、
第４折曲げ部を介して前記第２側面部に接続され、前記第１フラップと隣接する第２フラップと、
を備え、
前記第１フラップは、前記第３折曲げ部側に設けられた第１上面部と、第５折曲げ部を介して前記第１上面部に接続された第１下面部とを有し、
前記第２フラップは、前記第２フラップの端部において、前記第２フラップが内側に折り曲げられた状態で前記第２フラップの中間部分よりも内側に突出し、前記第１フラップの前記第１上面部と前記第１下面部の間に挟まれるように形成された突出部を有する梱包容器。
【請求項２】
前記第２フラップは、前記第４折曲げ部側に設けられた第２上面部と、第６折曲げ部を介して前記第２上面部に接続された第２下面部とを有し、
前記突出部は、前記第２下面部の端部において、前記第２上面部が内側に折り曲げられ、かつ、前記第２下面部が更に折り曲げられた状態で、前記第２上面部及び前記第２下面部の中間部分よりも内側に突出するように形成されている請求項１に記載の梱包容器。
【請求項３】
前記底面部、前記第１側面部、前記第２側面部、前記第１フラップ及び前記第２フラップを有するシート材で構成された本体部と、
前記本体部とは異なるシート材で構成され、前記底面部に対して平行に設置される蓋部と、
を備え、
前記本体部は、前記第１フラップの前記第１下面部に接続され、前記第１上面部が内側に折り曲げられ、かつ、前記第１下面部が更に折り曲げられた状態で内側に突出するように形成されている差込み部を有し、
前記蓋部に形成された差込み穴に対して、前記差込み部が挿入された請求項１又は２に記載の梱包容器。
【請求項４】
前記第１フラップの前記第１上面部の側端部と前記第２フラップの前記第２上面部の側端部は、互いに突き合わされるように、前記第１上面部の側端部は前記第１側面部に対して傾斜した方向に形成され、前記第２上面部の側端部は前記第２側面部に対して傾斜した方向に形成される請求項２に記載の梱包容器。
【請求項５】
梱包容器を形成するための梱包容器用シート材であって、
底面部と、
第１折曲げ部を介して前記底面部に接続された第１側面部と、
第２折曲げ部を介して前記底面部に接続され、前記第１側面部と隣接する第２側面部と、
第３折曲げ部を介して前記第１側面部に接続された第１フラップと、
第４折曲げ部を介して前記第２側面部に接続され、前記第１フラップと隣接する第２フラップと、
を備え、
前記第１フラップは、前記第３折曲げ部側に設けられた第１上面部と、第５折曲げ部を介して前記第１上面部に接続された第１下面部とを有し、
前記第２フラップは、前記第２フラップの端部において、前記第２フラップが内側に折り曲げられた状態で前記第２フラップの中間部分よりも内側に突出し、前記第１フラップの前記第１上面部と前記第１下面部の間に挟まれるように形成された突出部を有する梱包容器用シート材。
【発明の詳細な説明】
【技術分野】
【０００１】
本発明は、梱包容器及び梱包容器用シート材に関するものである。
【背景技術】
【０００２】
従来、天井埋込み型エアコンの化粧パネルなどのパネル材が梱包容器によって梱包される場合、トレイ状の下箱と、下箱にかぶせる上蓋との組み合わせによって、被梱包物であるパネル材が梱包されることが一般的である。
【０００３】
下記の特許文献１では、段ボールシートを折り曲げて形成された下部梱包材の隅部に補強片を配置することによって、被梱包体が落下しても梱包材の潰れを抑制し被梱包体を保護可能な強固な構成とすることが開示されている。
【先行技術文献】
【特許文献】
【０００４】
【特許文献１】特許第５０７７３８７号公報
【発明の概要】
【発明が解決しようとする課題】
【０００５】
トレイ状の下箱と、下箱にかぶせる上蓋との組み合わせによって、被梱包物を梱包する場合、下箱と上蓋は、一般的にクラフト粘着テープ又はポリプロピレン（ＰＰ）バンド等を使用して固定される。
【０００６】
上述した固定方法の場合、段ボール等のシート材とは異なる別資材が用いられるため、梱包工程の工数が増加するという欠点があり、また、梱包容器を破棄する際、分別が必要になる可能性があり、その場合、手間や作業時間が増加する。
【０００７】
本発明は、このような事情に鑑みてなされたものであって、部品点数や使用材料を低減しつつ、被梱包物を確実に固定することが可能な梱包容器及び梱包容器用シート材を提供することを目的とする。
【課題を解決するための手段】
【０００８】
上記課題を解決するために、本発明の梱包容器及び梱包容器用シート材は以下の手段を採用する。
すなわち、本発明に係る梱包容器は、底面部と、第１折曲げ部を介して前記底面部に接続された第１側面部と、第２折曲げ部を介して前記底面部に接続され、前記第１側面部と隣接する第２側面部と、第３折曲げ部を介して前記第１側面部に接続された第１フラップと、第４折曲げ部を介して前記第２側面部に接続され、前記第１フラップと隣接する第２フラップとを備え、前記第１フラップは、前記第３折曲げ部側に設けられた第１上面部と、第５折曲げ部を介して前記第１上面部に接続された第１下面部とを有し、前記第２フラップは、前記第２フラップの端部において、前記第２フラップが内側に折り曲げられた状態で前記第２フラップの中間部分よりも内側に突出し、前記第１フラップの前記第１上面部と前記第１下面部の間に挟まれるように形成された突出部を有する。
【０００９】
この構成によれば、第１側面部が第１折曲げ部を介して底面部に接続され、第２側面部が第２折曲げ部を介して底面部に接続されており、第１側面部と第２側面部は、底面部に対して立設された状態で互いに隣接する。また、第１フラップが第３折曲げ部を介して第１側面部に接続され、第２フラップが第４折曲げ部を介して第２側面部に接続されており、第１フラップと第２フラップは内側に折り曲げられた状態で互いに隣接する。
【００１０】
さらに、第１フラップは、第１上面部が第３折曲げ部側に設けられ、第１下面部が第５折曲げ部を介して第１上面部に接続されており、第１フラップの第１上面部が内側に折り曲げられ、かつ、第１下面部が更に折り曲げられた状態で、第１上面部が上側に配置され、第１下面部が下側に配置される。第２フラップの端部には、第２フラップが内側に折り曲げられた状態で、中間部分よりも内側に突出した突出部が形成され、突出部は、第１フラップの第１上面部と第１下面部の間に挟まれるように配置される。
【００１１】
第１フラップの第１下面部が梱包容器に収容された被梱包物によって下側から上方へ押し付けられ、第１フラップが開かない状態で維持される。これにより、第１フラップが閉じられた状態が維持され、第１フラップは開きにくくなる。また、第１フラップの第１下面部は、第２フラップの突出部の内側から外側へ差し込まれているため、第２フラップが閉じられた状態が維持され、第２フラップは開きにくくなる。
【００１２】
開梱時は、第２フラップの突出部を挟み込んでいる第１フラップを上方へ持ち上げることで、第１フラップと第２フラップがロックされた状態が容易に解除される。第１フラップを上方へ持ち上げる動きは、被梱包物が梱包されて保管された保管状態では生じないため、保管状態で誤って開いた状態になりにくい。
【００１３】
上記発明において、前記第２フラップは、前記第４折曲げ部側に設けられた第２上面部と、第６折曲げ部を介して前記第２上面部に接続された第２下面部とを有し、前記突出部は、前記第２下面部の端部において、前記第２上面部が内側に折り曲げられ、かつ、前記第２下面部が更に折り曲げられた状態で、前記第２上面部及び前記第２下面部の中間部分よりも内側に突出するように形成されてもよい。
【００１４】
この構成によれば、第２フラップは、第２上面部が第４折曲げ部側に設けられ、第２下面部が第６折曲げ部を介して第２上面部に接続されており、第２フラップの第２上面部が内側に折り曲げられ、かつ、第２下面部が更に折り曲げられた状態で、第２上面部が上側に配置され、第２下面部が下側に配置される。第２フラップの第２下面部の端部には、第２上面部が内側に折り曲げられ、かつ、第２下面部が更に折り曲げられた状態で、第２上面部及び第２下面部の中間部分よりも内側に突出した突出部が形成される。突出部は、第２下面側に形成されていることから、突出部が、第１フラップの第１上面部と第１下面部の間に挟まれるように配置されるとき、第１フラップの第１上面部と、第２フラップの第２上面部がほぼ同じ高さに位置する。そのため、被梱包物が梱包されているとき、梱包容器の上面では、第１フラップと第２フラップの間において段差が形成されない。
【００１５】
上記発明において、前記底面部、前記第１側面部、前記第２側面部、前記第１フラップ及び前記第２フラップを有するシート材で構成された本体部と、前記本体部とは異なるシート材で構成され、前記底面部に対して平行に設置される蓋部とを備え、前記本体部は、前記第１フラップの前記第１下面部に接続され、前記第１上面部が内側に折り曲げられ、かつ、前記第１下面部が更に折り曲げられた状態で内側に突出するように形成されている差込み部を有し、前記蓋部に形成された差込み穴に対して、前記差込み部が挿入されてもよい。
【００１６】
この構成によれば、シート材で構成された本体部が、底面部、第１側面部、第２側面部、第１フラップ及び第２フラップによって構成され、本体部とは別に蓋部が更に設けられる。蓋部は、シート材であって、底面部に対して平行に設置される。第１フラップの第１下面部に接続された差込み部は、第１上面部が内側に折り曲げられ、かつ、第１下面部が更に折り曲げられた状態で内側に突出するように形成されている。差込み部は、蓋部に形成された差込み穴に対して挿入される。この状態で、第１フラップは、蓋部に固定され、第２フラップも第１フラップによってロックされた状態となる。
【００１７】
上記発明において、前記第１フラップの前記第１上面部の側端部と前記第２フラップの前記第２上面部の側端部は、互いに突き合わされるように、前記第１上面部の側端部は前記第１側面部に対して傾斜した方向に形成され、前記第２上面部の側端部は前記第２側面部に対して傾斜した方向に形成されてもよい。
【００１８】
この構成によれば、第１フラップの第１上面部の側端部は、第１側面部に対して傾斜した方向に形成され、第２フラップの第２上面部の側端部は、第２側面部に対して傾斜した方向に形成されることによって、第１上面部の側端部と第２上面部の側端部は、互いに突き合わせ可能に形成されている。第１上面部の側端部と第２上面部の側端部は、互いに突き合わされることから、第１側面部、第２側面部、第１フラップ及び第２フラップによって、梱包容器の角部が形成される。
【００１９】
本発明に係る梱包容器用シート材は、梱包容器を形成するための梱包容器用シート材であって、底面部と、第１折曲げ部を介して前記底面部に接続された第１側面部と、第２折曲げ部を介して前記底面部に接続され、前記第１側面部と隣接する第２側面部と、第３折曲げ部を介して前記第１側面部に接続された第１フラップと、第４折曲げ部を介して前記第２側面部に接続され、前記第１フラップと隣接する第２フラップとを備え、前記第１フラップは、前記第３折曲げ部側に設けられた第１上面部と、第５折曲げ部を介して前記第１上面部に接続された第１下面部とを有し、前記第２フラップは、前記第２フラップの端部において、前記第２フラップが内側に折り曲げられた状態で前記第２フラップの中間部分よりも内側に突出し、前記第１フラップの前記第１上面部と前記第１下面部の間に挟まれるように形成された突出部を有する。
【発明の効果】
【００２０】
本発明によれば、部品点数や使用材料を低減しつつ、被梱包物を確実に固定することができる。
【図面の簡単な説明】
【００２１】
【図１】本発明の一実施形態に係る梱包容器の本体部を形成するためのシート材を示す平面図である。
【図２】本発明の一実施形態に係る梱包容器の本体部を形成するためのシート材を示す部分拡大平面図である。
【図３】本発明の一実施形態に係る梱包容器を示す分解斜視図である。
【図４】本発明の一実施形態に係る梱包容器を示す斜視図である。
【図５】本発明の一実施形態に係る梱包容器を示す平面図であり、第２フラップを内側に折り曲げた状態を示している。
【図６】本発明の一実施形態に係る梱包容器を示す平面図であり、図５の状態の後、第２フラップの第２下面部を更に折り曲げた状態を示している。
【図７】本発明の一実施形態に係る梱包容器を示す平面図であり、図６の状態の後、第１フラップを内側に折り曲げた状態を示している。
【図８】本発明の一実施形態に係る梱包容器を示す平面図であり、図７の状態の後、第１フラップの第１下面部を更に折り曲げた状態を示している。
【図９】本発明の一実施形態に係る梱包容器を示す側面図である。
【図１０】本発明の一実施形態に係る梱包容器の本体部を示す縦断面図であり、図３のX−X線矢視図である。
【図１１】本発明の一実施形態に係る梱包容器の本体部を示す横断面図であり、図１０のXI−XI線矢視図である。
【図１２】本発明の一実施形態に係る梱包容器の本体部を示す部分拡大斜視図であり、帯部を開口部に挿入する前の状態を示している。
【図１３】本発明の一実施形態に係る梱包容器の本体部を示す部分拡大斜視図であり、帯部を開口部に挿入した状態を示している。
【発明を実施するための形態】
【００２２】
以下に、本発明の一実施形態に係る梱包容器１について、図面を参照して説明する。
本実施形態に係る梱包容器１は、シート材（板材）によって構成され、例えば、図３に示すような天井埋込み型エアコンの化粧パネルなどのパネル部材６０を収容するものである。パネル部材６０は、平面視形状が例えば四角形であり、パネル部材６０の板面の幅や奥行の長さに比べて高さが低い形状を有する。
【００２３】
ここで、シート材とは、ブランクとも呼ばれ、平板状の紙製の段ボールである。シート材が折曲げ線に沿って折り曲げられ、組み立てられると箱状の梱包容器１となる。なお、シート材は、紙製の段ボールに限られず、プラスチック製の段ボールでもよいし、梱包に適したものであれば、段ボール以外の厚紙などでもよい。
【００２４】
梱包容器１は、図３に示すように、底面部５、第１側面部６及び第２側面部７などを有する本体部２と、本体部２の第１側面部６及び第２側面部７の内面に沿って設けられるスペーサ３と、本体部２を覆う蓋部４を備える。本体部２にパネル部材６０が収容されたとき、蓋部４は、収容されたパネル部材６０を覆う。
【００２５】
本体部２は、図１に示すように、１枚のブランクが組み立てられて形成され、組み立てられたとき、比較的深さの浅いトレイ状を有する容器であり、かつ、蓋部４の上面から蓋部４の４辺を更に覆うことが可能な第１フラップ８と第２フラップ９を更に有する。
【００２６】
本体部２の底面部５は、収容されるパネル部材６０の平面視形状に合った形状を有し、例えばパネル部材６０が正方形形状を有するとき、底面部５も正方形形状である。底面部５が四角形形状であるとき、底面部５の４辺のうち向かい合う１組の２辺には、第１側面部６が設けられる。また、底面部５の４辺のうち向かい合う他の１組の２辺には、第２側面部７が設けられる。
【００２７】
第１側面部６は、第１折曲げ線１０を介して底面部５に連続して設けられる。第１側面部６は、組み立てられたとき、底面部５に対して垂直に設置される。第１側面部６は、ほぼ長方形形状であり、長手方向が、第１側面部６と隣接して設けられる底面部５の１辺に対して平行である。第１側面部６の長手方向は、第１側面部６と隣接して設けられる底面部５の１辺と等しい長さを有する。
【００２８】
第２側面部７は、第２折曲げ線１１を介して底面部５に連続して設けられる。第２側面部７は、組み立てられたとき、底面部５に対して垂直に設置される。第２側面部７は、ほぼ長方形形状であり、長手方向が、第２側面部７と連続して設けられる底面部５の１辺に対して平行である。第２側面部７の長手方向は、第２側面部７と連続して設けられる底面部５の１辺と等しい長さを有する。
【００２９】
接続部１６は、例えば長方形形状を有し、折曲げ線１７を介して第２側面部７に接続される。また、第２折曲げ線１１の延長上に形成された切込み１８によって、第１側面部６又は第１フラップ８と接続部１６が分離される。接続部１６は、第１側面部６が底面部５に対して立設された状態において、第１側面部６の内面に沿って設置される。
【００３０】
接続部１６は、内側板１６Ａと、外側板１６Ｂを有する。内側板１６Ａと外側板１６Ｂは、折曲げ線１９を介して接続されている。内側板１６Ａは、折曲げ線１７を介して第２側面部７に接続される。これにより、接続部１６は、第１側面部６の内面に沿って設置されるとき、内側板１６Ａが内側に配置され、折曲げ線１９において外側に折り曲げられた外側板１６Ｂが外側に配置される。その結果、接続部１６は、内側板１６Ａと外側板１６Ｂが積層されて、２重板構造となる。
【００３１】
この構成によれば、接続部１６が、折曲げ線１７を介して第２側面部７に接続されており、折曲げ線１７において、接続部１６が第２側面部７に対して折曲げ可能になり、第２側面部７と接続部１６とはＬ字形状を有する。第２側面部７が底面部５に立設された状態において、接続部１６が第１側面部６の内面に沿って設置されることで、本体部２の高さ方向の荷重を支持することができ、梱包容器１の強度を向上させる。
【００３２】
なお、上述した実施形態では、接続部１６が内側板１６Ａと外側板１６Ｂによって２重板構造になっている場合について説明したが、本実施形態は、この例に限定されず、折り返しの無い１重板構造でもよいし、３枚以上の板を積層した構成でもよい。
【００３３】
第１側面部６には、一方向に長い帯形状を有する帯部２０が形成される。帯部２０は、図２に示すように、基端２０ａが第１側面部６の板面に接続され、先端２０ｂ側が第１側面部６から離隔可能に設けられる。帯部２０は、第１側面部６の長手方向に対して平行に延設される。
【００３４】
第１側面部６の板面の内側には、基端２０ａを残して帯部２０が抜かれる切込み２１が形成される。切込み２１によって、帯部２０は、基端２０ａが第１側面部６に接続され、かつ、先端２０ｂ側が第１側面部６に対して片持ち状態となるように形成される。
【００３５】
図２に示すように、接続部１６の内側板１６Ａと外側板１６Ｂのそれぞれの板面には、帯部２０の先端２０ｂが挿入可能な開口部２２Ａ，２２Ｂが形成される。内側板１６Ａと外側板１６Ｂが積層された状態で、内側板１６Ａと外側板１６Ｂの二つの開口部２２Ａ，２２Ｂは一致するように形成される。第１側面部６と接続部１６は、帯部２０と開口部２２Ａ，２２Ｂとが係合することによって、固定される。
【００３６】
接続部１６の内側板１６Ａと外側板１６Ｂのそれぞれの端部には、高さ方向中央部が凹状を有する切欠き部２３Ａ，２３Ｂが形成される。切欠き部２３Ａ，２３Ｂは、図１２に示すように、帯部２０の基端２０ａ側が係合可能である。これにより、切欠き部２３Ａ，２３Ｂには帯部２０の基端２０ａ側が係合されることから、帯部２０と接続部１６の位置ずれが生じにくくなり、第１側面部６と接続部１６が互いにより強固に固定される。
【００３７】
底面部５と第１側面部６と第２側面部７によって、梱包容器１の角部が形成されるとき、帯部２０の基端２０ａ側が接続部１６の内面側に設置され、図１０、図１１及び図１３に示すように、帯部２０の先端２０ｂが開口部２２Ａ，２２Ｂに対して接続部１６の内面側から外面側に挿入される。これにより、帯部２０と開口部２２Ａ，２２Ｂが係合される。この状態で、帯部２０は、第１側面部６との間で接続部１６を挟み込んでおり、第１側面部６と接続部１６が互いに固定される。
【００３８】
開口部２２Ａ，２２Ｂに対して帯部２０の先端２０ｂが接続部１６の内面側から外面側に挿入されたとき、帯部２０の先端２０ｂが第１側面部６の外面から突出しないように、帯部２０の長さが設定されることが望ましい。これにより、梱包容器１において、第１側面部６の外面から突出した部材がないことで、引っ掛かりがなく、梱包容器１が搬送されやすくなり、また、第１側面部６の外周面側で接触するコンテナの壁面等に対して隙間なく配置できる。
【００３９】
次に、蓋部４の４辺を覆う本体部２に形成された第１フラップ８と第２フラップ９について説明する。
【００４０】
図１に示すように、第１フラップ８は、折曲げ部２４を介して第１側面部６に接続され、第２フラップ９は、折曲げ部２５を介して第２側面部７に接続される。第１フラップ８は、向かい合う２辺においてそれぞれ一つずつ設けられ、第２フラップ９は、第１フラップ８と直交する辺の向かい合う２辺においてそれぞれ一つずつ設けられる。
【００４１】
第１フラップ８は、折曲げ部２４側に設けられた第１上面部１２と、折曲げ部２６を介して第１上面部１２に接続された第１下面部１３とを有する。図７に示すように、第１フラップ８の第１上面部１２が内側に折り曲げられた後、図８に示すように、第１下面部１３が更に折り曲げられた状態で、第１上面部１２が上側に配置され、第１下面部１３が下側に配置される。
【００４２】
第２フラップ９は、折曲げ部２５側に設けられた第２上面部１４と、折曲げ部２７を介して第２上面部１４に接続された第２下面部１５とを有する。図５に示すように、第２フラップ９の第２上面部１４が内側に折り曲げられた後、図６に示すように、第２下面部１５が更に折り曲げられた状態で、第２上面部１４が上側に配置され、第２下面部１５が下側に配置される。
【００４３】
第２フラップ９には、第２フラップ９の長手方向の両側端部において、突出部２８がそれぞれ形成されている。第２上面部１４の端部にＬ字状に形成された切込み２９によって、第２上面部１４と第２下面部１５が分離される。
【００４４】
図５に示すように、第２フラップ９の第２上面部１４が内側に折り曲げられた後、図６に示すように、第２下面部１５が更に折り曲げられた状態で、突出部２８は、第２フラップ９の第２上面部１４及び第２下面部１５の中間部分よりも梱包容器１の内側に突出している。第２フラップ９が折り曲げられた後、第１フラップ８について、図８に示すように、第１下面部１３に対して第１上面部１２が折り曲げられたとき、第１下面部１３の突出部２８は、第１フラップ８の第１上面部１２と第１下面部１３の間に挟まれるように配置される。
【００４５】
第１フラップ８の第１下面部１３が、梱包容器１に収容されたパネル部材６０によって下側から上方へ押し付けられ、第１下面部１３が開かない状態で維持されることによって、第１フラップ８が閉じられた状態が維持され、第１フラップ８は開きにくくなる。また、第１フラップ８の第１下面部１３は、第２フラップ９の突出部２８に対して梱包容器１の内側から外側へ差し込まれているため、第２フラップ９が閉じられた状態が維持され、第２フラップ９は開きにくくなる。
【００４６】
開梱時は、第２フラップ９の突出部２８を挟み込んでいる第１フラップ８を上方へ持ち上げることで、第１フラップ８と第２フラップ９がロックされた状態が容易に解除される。第１フラップ８を上方へ持ち上げる動きは、パネル部材６０が梱包されて保管された保管状態では生じないため、保管状態で誤って梱包容器１が開いた状態になりにくい。
【００４７】
また、突出部２８は、第２下面部１５側に形成されていることから、突出部２８が、第１フラップ８の第１上面部１２と第１下面部１３の間に挟まれるように配置されるとき、第１フラップ８の第１上面部１２と、第２フラップ９の第２上面部１４がほぼ同じ高さに位置する。そのため、パネル部材６０が梱包されているとき、梱包容器１の上面では、第１フラップ８と第２フラップ９の間において段差が形成されない。
【００４８】
第１フラップ８には、第１下面部１３の中央部にて差込み部５１が接続される。第１フラップ８の中央部にコの字状に形成された切込み５２によって、第１上面部１２と第１下面部１３に接続された差込み部５１とが分離される。差込み部５１は、第１上面部１２が内側に折り曲げられ、かつ、第１下面部１３が更に折り曲げられた状態で内側に突出するように形成されている。蓋部４には、差込み穴４１が形成され、図４に示すように、差込み部５１が差込み穴４１に挿入される。これにより、第１フラップ８の中間部分は、蓋部４に対して隙間が形成されないように固定され、第２フラップ９も第１フラップ８によってロックされた状態となる。
【００４９】
梱包容器１が組み立てられたとき、第１フラップ８と第２フラップ９は、隣接する。このとき、第１フラップ８の側端部８ａと第２フラップ９の側端部９ａは、互いに突き合わされるように、第１フラップ８の側端部８ａは、第１側面部６の長手方向に対して傾斜した方向（例えば４５°）に形成され、第２フラップ９の側端部９ａは第２側面部７の長手方向に対して傾斜した方向（例えば４５°）に形成される。
【００５０】
折曲げ部２４において第１フラップ８が第１側面部６に対して折曲げ可能になり、また、折曲げ部２５において第２フラップ９が第２側面部７に対して折曲げ可能になり、第１フラップ８の側端部８ａと第２フラップ９の側端部９ａは、互いに突き合わされることから、第１側面部６、第２側面部７、第１フラップ８及び第２フラップ９によって、梱包容器１の角部が形成される。
【００５１】
図３に示すように、スペーサ３は、組み立てられたとき、平面視形状がほぼコの字形状を有し、本体部２の第１側面部６と第２側面部７の内面に沿って設置される。スペーサ３は、板状部材であって、高さが第２側面部７の内法（うちのり）高さとほぼ同一である。本体部２の第２側面部７が底面部５に対して立設された状態において、スペーサ３が第１側面部６と第２側面部７の内面に沿って設置されることで、本体部２の高さ方向の荷重を支持することができ、梱包容器１の強度を向上させる。
【００５２】
スペーサ３は、本体部２のブランクとは異なる１枚のブランクが組み立てられて形成される。スペーサ３は、第１補強部３１と、第２補強部３２を有する。
第１補強部３１は、ほぼ長方形形状を有し、第２側面部７の内面に沿って設置される。第２補強部３２は、ほぼ長方形形状を有し、スペーサ３の高さ方向に対して平行な折曲げ線３５を介して第１補強部３１の両端に接続される。第２補強部３２は、第１側面部６の内面に沿って設置される。
【００５３】
スペーサ３には、第２補強部３２の板面において開口部３７が形成される。開口部３７には、接続部１６の内面側に設置された帯部２０が内部に配設される。接続部１６の開口部２２Ａ，２２Ｂに対して、帯部２０の先端２０ｂが、接続部１６の内面側から外面側に挿入されたとき、帯部２０は接続部１６の内面に設置されているため、接続部１６の内面よりも突出した状態である。スペーサ３の第２補強部３２において開口部３７が形成され、開口部３７に、帯部２０が配設されることによって、接続部１６と第２補強部３２を密着して設置できる。
【００５４】
図３に示すように、蓋部４は、収容されるパネル部材６０の平面視形状に合った形状を有し、例えばパネル部材６０が正方形形状を有するとき、蓋部４もほぼ正方形形状である。蓋部４には、差込み穴４１が形成され、差込み部５１が差込み穴４１に挿入される。
【００５５】
上述したブランクから梱包容器１を組み立てるには、まず、本体部２とスペーサ３を個別に組み立て、組み立てられた本体部２の内部に、組み立てられたスペーサ３を設置する。そして、被梱包物であるパネル部材６０が、本体部２とスペーサ３の内側に配置される。その後、パネル部材６０を本体部２に収容して、蓋部４をパネル部材６０上に載置し、さらに、蓋部４の４辺の上面を、本体部２に設けられた第１フラップ８及び第２フラップ９によって覆う。これによって、図４、図８及び図９に示すように、梱包容器１の組み立てが完了し、パネル部材６０が梱包容器１によって梱包される。
【００５６】
以下、本体部２の組み立てについて説明する。
まず、板状のブランクにおける底面部５に対して第１側面部６が起立される。このとき、第１側面部６は、第１折曲げ線１０によって内側に折り曲げられ、第２側面部７が底面部５に対して垂直に設けられる。
【００５７】
また、板状のブランクにおける底面部５に対して第２側面部７が起立される。このとき、第２側面部７は、第２折曲げ線１１によって内側に折り曲げられ、第２側面部７が底面部５に対して垂直に設けられる。
【００５８】
そして、接続部１６が、折曲げ線１７によって内側に折り曲げられ、接続部１６と第２側面部７とのなす角が９０°となり、Ｌ字形状を有する。その結果、第２側面部７が底面部５に立設された状態において、接続部１６が第１側面部６の内面に沿って設置される。
【００５９】
また、底面部５と第１側面部６と第２側面部７によって、梱包容器１の角部が形成されるとき、接続部１６は、第１側面部６の内面に沿って設置される。これにより、第２側面部７と接続部１６とはＬ字形状を有する。このとき、接続部１６のうち内側板１６Ａが内側に配置され、折曲げ線１９において外側に折り曲げられた外側板１６Ｂが外側に配置される。
【００６０】
そして、第１側面部６の板面の内側に形成された切込み２１によって、基端２０ａを残して帯部２０を抜く。これにより、帯部２０は、基端２０ａが第１側面部６に接続され、かつ、先端２０ｂ側が第１側面部６に対して片持ち状態となるように形成される。
【００６１】
帯部２０と開口部２２Ａ，２２Ｂとを係合して、第１側面部６と接続部１６を接続するため、まず、接続部１６の端部に形成された切欠き部２３Ａ，２３Ｂに、帯部２０の基端２０ａ側を嵌合する。そして、帯部２０の基端２０ａ側を接続部１６の内面側に設置し、帯部２０の先端２０ｂを開口部２２Ａ，２２Ｂに対して接続部１６の内面側から外面側に挿入する。これにより、帯部２０と開口部２２Ａ，２２Ｂが係合される。この状態で、帯部２０は、第１側面部６との間で接続部１６を挟み込んでおり、第１側面部６と接続部１６が互いに固定される。
【００６２】
次に、本体部２の内部にパネル部材６０が収容されて、蓋部４がパネル部材６０の上に載せられる。そして、図５に示すように、第２フラップ９の第２上面部１４が内側に折り曲げられ、かつ、図６に示すように、第２下面部１５が更に折り曲げられる。この状態によって、突出部２８が梱包容器１の内側に突出している。
【００６３】
その後、図７に示すように、第１フラップ８の第１上面部１２が内側に折り曲げられる。そして、図８に示すように、第１フラップ８の第１上面部１２と第１下面部１３の間に挟まれるように第１下面部１３が更に折り曲げられる。第１下面部１３は、第２フラップ９の突出部２８に対して梱包容器１の内側から外側へ差し込まれているため、第２フラップ９が閉じられた状態が維持され、第２フラップ９は開きにくくなる。
【００６４】
なお、上記実施形態では、第２フラップ９は、第２上面部１４と第２下面部１５を有し、折曲げ部２７を介して折り曲げられる例について説明したが、本発明はこの構成に限定されない。上記例では、折曲げ部２５と折曲げ部２７で２回折り曲げられた状態で突出部２８が梱包容器１の内側に突出する。これに対して、第２フラップ９が第２上面部１４と第２下面部１５を有さず、第２フラップ９が折曲げ部２５で１回折り曲げられた状態で、突出部２８が梱包容器１の内側に突出する形状を有してもよい。この場合でも、第１フラップ８の第１下面部１３が折り曲げられて、第１フラップ８が突出部２８を挟み込むことによって、第１フラップ８と第２フラップ９がロックされた状態となる。
【００６５】
また、上記実施形態では、帯部２０と、接続部１６に形成された開口部２２Ａ，２２Ｂが係合されることによって、第１側面部６と第２側面部７が、接続される場合について説明したが、本発明はこの例に限定されない。例えば、第１側面部６と接続部１６とは、例えば接着剤、ステープル又はテープ等を使用して固定されて、第１側面部６と第２側面部７が、接続されてもよい。
【符号の説明】
【００６６】
１      ：梱包容器
２      ：本体部
３      ：スペーサ
４      ：蓋部
５      ：底面部
６      ：第１側面部
７      ：第２側面部
８      ：第１フラップ
８ａ    ：側端部
９      ：第２フラップ
９ａ    ：側端部
１０    ：第１折曲げ線
１１    ：第２折曲げ線
１２    ：第１上面部
１３    ：第１下面部
１４    ：第２上面部
１５    ：第２下面部
１６    ：接続部
１６Ａ  ：内側板
１６Ｂ  ：外側板
１７    ：折曲げ線
１８    ：切込み
１９    ：折曲げ線
２０    ：帯部
２０ａ  ：基端
２０ｂ  ：先端
２１    ：切込み
２２Ａ，２２Ｂ  ：開口部
２３Ａ，２３Ｂ  ：切欠き部
２４，２５，２６，２７    ：折曲げ部
２８    ：突出部
２９    ：切込み
３１    ：第１補強部
３２    ：第２補強部
３５    ：折曲げ線
３７    ：開口部
４１    ：差込み穴
５１    ：差込み部
５２    ：切込み
６０    ：パネル部材
【図１】
2019218101.tif 000003
【図２】
2019218101.tif 000004
【図３】
2019218101.tif 000005
【図４】
2019218101.tif 000006
【図５】
2019218101.tif 000007
【図６】
2019218101.tif 000008
【図７】
2019218101.tif 000009
【図８】
2019218101.tif 000010
【図９】
2019218101.tif 000011
【図１０】
2019218101.tif 000012
【図１１】
2019218101.tif 000013
【図１２】
2019218101.tif 000014
【図１３】
2019218101.tif 000015